(57)【特許請求の範囲】
【請求項１】
フレーム、電荷保持光導電面、及び黒ずんだ縁取りやクリップされた縁がない文書のコピーを生成するために有用な文書見合わせ位置を含んでいる文書プラテンを有している静電電子写真式複写機における自動位置合わせ形帯電デバイス・アセンブリであって、
（ａ）前記電荷保持光導電面を帯電するコロナ発生器と、
（ｂ）前記コロナ発生器の第１の端部に接触し、前記コロナ発生器の長手方向の位置が調整可能な停止部材と、
（ｃ）前記コロナ発生器の第２の端部に接触し、前記コロナ発生器を前記停止部材に向けて付勢する弾性力印加手段と、
を備え、
前記コロナ発生器の電荷分散開口の帯電開始位置を前記文書見合わせ位置に対応する前記光導電面の位置へ位置合わせをする自動位置合わせ形帯電デバイス・アセンブリ。
【請求項２】
（ａ）装置フレームと、
（ｂ）前記フレームに取り付けられており、クリップされた縁がなくかつ黒ずんでいない縁取りを有する複写されるべき文書を見合せる文書見合せ位置を含んでいるプラテンと、
（ｃ）前記文書の原稿画像を複写すべく静電電荷の層及び帯電したトナー粒子を採り入れており、該静電電荷の層を保持するために利用可能な特定の幅を有している光導電面を含んでいる画像形成手段と、
（ｄ）自動位置合わせ形帯電デバイス・アセンブリと
を備え、
前記自動位置合わせ形帯電デバイス・アセンブリは、
（ｄ１）前記電荷保持光導電面を帯電するコロナ発生器と、
（ｄ２）前記コロナ発生器の第１の端部に接触し、前記コロナ発生器の長手方向の位置が調整可能な停止部材と、
（ｄ３）前記コロナ発生器の第２の端部に接触し、前記コロナ発生器を前記停止部材に向けて付勢する弾性力印加手段と、
を備え、
前記コロナ発生器の電荷分散開口の帯電開始位置は、前記文書見合わせ位置に対応する前記光導電面の位置へ位置合わせされる静電電子写真式複写機。
【発明の詳細な説明】
【０００１】
【産業上の利用分野】
本発明は、静電電子写真式複写機に関し、特に自動的に位置合わせする帯電デバイス・アセンブリを含んでいるような装置に関する。
【０００２】
【従来の技術】
静電電子写真式装置に用いられるときには帯電デバイスは、受光部材から離間し、かつそれに関して軸方向に取り付けられる。色調された縁取り(borders：ボーダー) または黒いボーダーを有するシート上の画像のハードコピーを生成しないために、受光部材上の非画像ボーダー領域は、帯電デバイスにより帯電されてはならないか、或いはもし帯電されたならば、帯電したトナー粒子による現像の前に消去または除電されなければならない。均一帯電の後にそのようなボーダー領域を“帯電して次に消去または除電すること”は、除電デバイスの更なる使用を含み、従って相対的により高価になる。更に、必要以上またはそれ以下にボーダー領域が消去されうるということにおいて相対的により危険でもあり、それゆえに質の悪い画像を結果として生ずる。他方、“第１にそのようなボーダー領域を帯電しない”比較的危険でなくかつ高価でない代替は、固定されたプラテン上の文書見合せ位置または縁（エッジ）で帯電されるべき領域のエッジの正確な位置合わせ（帯電デバイスが帯電を開始する位置と同じ）を必要とする。
【０００３】
【発明が解決しようとする課題】
しかしながら、不運にも、製造及びアセンブリ公差の影響により、そのような正確な位置合わせを達成することは、普通の装置使用者または顧客が持っていない技能（スキル）を通常必要とする。これは、使用者または顧客により装置に取り付けられるべき顧客交換可能（カートリッジ）ユニットまたはＣＲＵとして他の構成部分と一緒に製造されかつ設置される帯電デバイスの場合には更に問題となりうる。そのような場合には、帯電デバイスの帯電開始位置は、受光部材上の所望の画像エッジ位置に位置合わせされうるかまたは位置合わせされえない。そして、プラテン上の見合せ位置またはエッジと帯電デバイスのそのような帯電開始位置との間に生成されたミスアライメントが存在しうる。使用者または顧客にとってのチャレンジは、その帯電開始位置がプラテン上の見合せ位置、及び受光部材上の対応する画像エッジ位置に正確に位置合わせされるように帯電デバイスを交換することである。そのような位置合わせを達成できないことにでもなれば、そのどちらも受容できない、黒ずんだボーダーを有するか、またはそのようなボーダーに隣接するクリップされた画像部分を有するコピーシート用紙上の画像を結果としてそのたびに通常生じうる。
【０００４】
従って、静電電子写真式複写機に使用する、プラテン文書見合せ位置にその帯電開始位置を自動的に位置合わせする自動位置合わせ形帯電デバイスを含む顧客交換可能ユニットを提供する必要がある。
本発明の主な目的は、上記従来の技術における必要性を満たすことである。
【０００５】
【課題を解決するための手段】
本発明の上記目的は、フレーム、電荷保持光導電面、及び黒ずんだボーダーまたはクリップされたエッジなしの文書のコピーを生成するのに有用な文書見合せ位置を含んでいる文書プラテンを有している静電電子写真式複写機において、（ａ）光導電面を帯電するコロナ発生器と、（ｂ）プラテンの下方で複写機内に取り付けられかつプラテンの文書見合せ位置の直下で所望の位置から所定の距離で離間されており、コロナ発生器を接触させる停止部材と、（ｃ）複写機内に支持されかつコロナ発生器に接続されており、文書見合せ位置に対して所望の位置でコロナ発生器を自動的に位置合わせする弾性力印加手段とを備えている自動位置合わせ形帯電デバイス・アセンブリによって達成される。
また、本発明の上記目的は、（ａ）装置フレームと、（ｂ）フレームに取り付けられており、クリップしたエッジなくかつ清浄な黒ずんでいないボーダーを有する複写されるべき文書を見合わせる文書見合せ位置を含んでいるプラテンと、（ｃ）文書の原稿画像を複写すべく静電電荷の層及び帯電したトナー粒子を採り入れており、静電電荷の層を保持するために利用可能な所定の幅を有している光導電面を含んでいる画像形成手段と、（ｄ）プラテン上の文書見合せ位置に位置合わせして光導電面上に静電電荷の層を生成する自動位置合わせ形帯電デバイス・アセンブリとを備えて、自動位置合わせ形帯電デバイス・アセンブリは、（ｉ）光導電面を帯電するコロナ発生器と、（ｉｉ）プラテンの下方で複写機内に取り付けられかつプラテンの文書見合せ位置の直下で所望の位置から所定の距離で離間されており、コロナ発生器を接触させる停止部材と、（ｉｉｉ）複写機内に支持されかつコロナ発生器に接続されており、文書見合せ位置に対して所望の位置でコロナ発生器を自動的に位置合わせする弾性力印加手段とを含んでいる静電電子写真式複写機によって達成される。
【０００６】
更に、本発明の上記目的は、黒ずんだボーダーまたはクリップされたエッジなしの文書のコピーを生成するような印刷機用顧客交換可能ユニット（ＣＲＵ）であって、（ａ）印刷機のフレームに取り付けられるハウジングと、（ｂ）印刷機の文書見合せ位置に対して所定の所望位置で位置決めするようにハウジングに取り付けられた第１の端部と印刷機内の停止部材を接触させる第２の端部とを有しているコロナ発生器と、（ｃ）ハウジングにコロナ発生器の第１の端部を接続しており、ＣＲＵが複写機に用いられるときに停止部材に接触してハウジングの第２の端部を弾性的に付勢する弾性力印加手段とを備えている印刷機用顧客交換可能ユニットによって達成される。
【０００７】
【作用】
本発明の一態様によれば、黒ずんだボーダーまたはクリップしたエッジなしで画像を複写するために、フレーム、電荷保持面及び文書見合せ位置を含んでいる文書プラテンを有している複写機において、プラテン上の文書見合せ位置に位置合わせして電荷保持面上に静電電荷の層を生成する自動位置合わせ形帯電デバイス・アセンブリが供給される。自動位置合わせ形帯電デバイス・アセンブリは、帯電開始位置を有しているコロナ発生器、及びプラテン上の文書見合せ位置に対して帯電開始位置を自動的に位置合わせするように所望の位置でコロナ発生器の第１の端部を接触させるためにプラテンの第１の側面で装置のフレームに取り付けられた停止部材を含む。弾性力印加部材が複写機内に支持されかつ文書見合せ位置に対して所望の位置で帯電開始位置を自動的に位置合わせするためにコロナ発生器の第２の端部に接続される。
本発明の別の態様によれば、黒ずんだボーダーまたはクリップしたエッジなしで文書のコピーを生成するように印刷機用に、印刷機のフレームに取り付けられるためのハウジングと、ハウジングに取り付けられた第１の端部及び印刷機の文書見合せ位置に対して所定の望ましい位置でコロナ発生器を位置決めするように印刷機内で停止部材を接触させる第２の端部を有しているコロナ発生器とを含んでいる顧客交換可能ユニット（ＣＲＵ）が提供される。ＣＲＵは、ＣＲＵが印刷機に用いられるときに停止部材に接触させてハウジングの第２の端部を弾性的に付勢するためにコロナ発生器の第１の端部をハウジングに接続している弾性力印加部材も含む。
本発明の他の特徴は、以下の説明及び図面から明らかになるであろう。
【０００８】
【実施例】
以下、添付した図面を参照して本発明の実施例を詳細に説明する。
なお、本発明は、その好ましい実施例に関して説明されるが、本発明をその実施例に限定することを企図していないということは、理解されるであろう。対照的に、添付した特許請求の範囲により画定される本発明の精神及範疇内に含まれうる全ての代替、変更、及び同等物を網羅することを企図している。
最初に図２を参照すると、本発明の自動位置合わせ帯電デバイス・アセンブリを組み込んでいる例示的な静電電子写真式複写機が示されている。例示的な静電電子写真式装置は、例えば、光導電面１２を含んでいるドラム１０として示された受光部材を採り入れている。よく知られているように、光導電部材は、光導電面を有している適切に取り付けられたベルトに等しいものでありうる。光導電ドラム１０は、処理経路の回りに配置された種々の処理局を通る光導電面１２の連続する部分を前方に進めるために矢印１６の方向の処理経路の回りのローテーションのためにモータ（図示省略）に連結される。
まず始めに、ドラム１０の表面部分は、帯電局Ａを通る。帯電局Ａでは、本発明の自動位置合わせ形帯電デバイス・アセンブリ（以下に詳述する）に含まれるようなコロナ発生デバイス２６は、比較的高くかつ実質的に均一なポテンシャル（電位）に光導電面１２を帯電する。
【０００９】
一度帯電されたならば、光導電面１２は、透明プラテン３０上で固定された見合せマークまたは位置に従ってかつ面を下にして位置決めされた、原稿文書２８がランプ３２のような、光源からの光に露光される画像形成局Ｂに送られる。ランプ３２からの光線は、文書２８から画像に関して反射されて原稿文書２８の光像(light image) を形成する。反射された光は、レンズ３４を通って伝送されかつ帯電された光導電面１２の部分上に合焦(focus) されて、そのインパクトされた領域(impacted areas)上に均一電荷を選択的に放散する。そのようにして、原稿文書２８に対応している静電潜像は、光導電面１２上に記録される。
帯電された光導電面１２を選択的に除電するために用いられた光像を形成するための光学システムが示されかつ説明されたけれども、当業者は、適宜に変調されたエネルギーの走査ビーム（例えば、レーザ・ビーム）は、その上に静電潜像を記録するために光導電面１２の帯電された部分を画像に関して照射すべく同様に用いることができるということが分かるであろう。
静電潜像が光導電面１２上に記録された後、ドラム１０は、現像装置３６が静電潜像上にトナー粒子を包含している現像材料を付着する現像局Ｃに進む。現像装置３６は、例えば、現像剤ハウジング４０に配置された単一現像材ローラ３８を含みうる。現像材ローラ３８は、回転し、現像材料を光導電面１２に接触させて、潜像を可視トナー画像に現像する。
【００１０】
そのような静電潜像の現像の後、ドラム１０は、トナー画像を転写局Ｄに送る。転写局Ｄでは、一枚の支持材料４６が、シート・フィーディング装置４８によりトナー画像に接触して移動される。シート・フィーディング装置４８は、最上部のシートを送るべくシートのスタック４６に接触しながら回転するフィード・ローラ５０を含むのが好ましい。支持材料の前進シート４６は、面１２上の現像された画像が支持材料の前進シート４６に接触し、かつ転写されるように計時シーケンスにて転写局Ｄでドラム１０の光導電面１２に接触して移動される。転写コロトロン５６は、光導電面１２から支持材料上に帯電されたトナー画像の転写を誘導することを支援するためにシート４６の裏側上にイオンを投射するために設けられている。
支持材料４６は、定着局Ｅへの前進のために矢印５８の方向に続いて移送される。定着局Ｅは、転写されたトナー画像をシート４６に加熱しかつ永久に付着するためのフューザ・アセンブリ６０を含む。フューザ・アセンブリ６０は、加熱したフューザ・ローラ６２とそれを通して一枚の支持材料４６を受け取りかつ移送するためのフューザ・ニップを形成している支持ローラ６４を含むのが好ましい。フュージングの後、支持材料４６の前進シートは、オペレーターによる完成コピーの続いて起こる除去のために受取りトレー６８に移動される。
【００１１】
常に、支持材料４６がドラム１０の光導電面１２から分離された後、残留現像材料がドラム１０に付着したままになっていた。それゆえに、仕上げ処理局、具体的に清浄（クリーニング）局Ｆは、上述したように後続の帯電及び画像形成の準備において光導電面１２から残留トナー粒子を除去するために設けられている。クリーニング局Ｆは、例えば、それからトナー粒子を除去するために光導電面１２との物理的噛み合いのために回転自在に取り付けられた繊維状ブラシ７０を含みうる。図示するように、クリーニング局Ｆは、顧客交換可能ユニットまたはＣＲＵ１３４の一部として例えば設けられうる。図示されたようにＣＲＵ１３４は、ブラシ７０のような、クリーニング構成部分を囲んでいるＣＲＵハウジング１３２と、クリーニング・ブレード１３６とを含む。ある場合には、ＣＲＵ１３４は、ドラム軸１３８上に取り付けられかつ矢印１６の方向に回転自在に駆動されるように示された受光体ドラム１０も含みうる。クリーニング・ブレード１３６は、支持ブラケット１４０上に取り付けられ、かつクリーニング・ブラシ７０は、そのような表面がクリーニング・ブレード１３６によって清浄される前にドラム１０の表面からトナー粒子を擾乱しかつ除去するために取り付けられている。ブラシ７０から廃棄トナーをフリッカリングするフリッカー・バー１４２と、オーガ１５０がトナーをクリーニング領域から遠ざけるように移送しうる廃棄トナー・サンプ１４６の後部に廃棄トナーを移送する正方形パドル１４４が含まれうる。
【００１２】
上記説明は、本発明の自動位置合わせ形コロナ発生または帯電デバイスを含んでいる静電電子写真式複写機または印刷機の一般動作を説明するために、特許についての本出願の目的に対して、十分であると思われる。
ここで、図１及び図２を参照すると、静電電子写真式複写機の部分が、例えば矢印Ｅ−Ｅの方向から見たように示されている。図示のように、装置は、１００として示された、本発明の自動位置合わせ帯電デバイス・アセンブリを含む。装置は、装置フレーム８Ａ、及びフレーム８Ａに取り付けられた文書プラテン３０も含む。プラテン３０は、清浄な黒ずんでいないボーダーを有すると共に、クリップされた現像画像エッジなしで複写されうるように文書を適切に見合わせるために有用である文書見合せ部分１０２を含む。装置は、文書の原稿画像を複写するために、上述したように、帯電トナー粒子と一緒に静電電荷の層を採り入れる画像形成手段を更に含む。画像形成手段は、ドラム１０のような受光体または光導電部材を特に含む。ドラム１０は、光導電面１２及び静電電荷の層を保持するための光導電面１２の利用可能な所定の帯電可能表面幅Ｗ１を有する。本発明によれば、帯電デバイス・アセンブリ１００は、清浄な、黒ずんでいないボーダーを有するクリップされていないエッジ・コピーを結果として生ずるように文書見合せ位置１０２に対して自動的かつ弾性的に自動位置合わせされる。
【００１３】
更に示すように、本発明の自動位置合わせ形帯電デバイス・アセンブリ１００は、電荷保持光導電面１２を帯電するための帯電素子１０４を有する帯電デバイスまたはコロナ発生器２６を含む。帯電素子１０４は、例えばよく知られているようなピン・アレー電極、またはワイヤ電極でありうるコロナ発生電極である。帯電素子１０４、例えばピン・アレー電極は、高電圧増補部材に通常結合されているか、または高電圧電源（図示省略）への接続のために高電圧増補部材と共に設けられている。帯電素子１０４は、受光体１０の表面の帯電可能幅Ｗ１におおよそ等しい帯電長さＷ２を有することが好ましい。
帯電デバイスまたはコロナ発生器２６は、コロナ発生器２６の第１及び第２の端部を画定している第１の端部１１０及び第２の端部１１２を有している伸張ハウジング１０６を含む。ハウジング１０６は、文書プラテン３０の下方の、複写機内に取り付けられている。ハウジング１０６は、図示するように、端部ブロック１０８、１０９によりその中に帯電部材１０４を支持し、かつ帯電素子を部分的に取り囲む。伸張ハウジング１０６は、顧客交換可能カートリッジ・ユニット、またはＣＲＵ１３４の構成部分に取り付けられ、かつそれを含んでいることが好ましい。帯電素子１０４がピン・アレーであるときには、伸張ハウジング１０６は、側面支持部材及びシールド支持フレーム内に配置された一対の端部取付けブロック１０８、１０９を含みうる。側面支持部材は、ピン・アレー電極の側面のいずれかの上で、かつ挟まれて、配置された伸張部材を含みうる。側面支持部材は、それゆえに導電シールドまたはハウジング１０６内の電極を支持するために端部取付けブロック間に伸張する。
【００１４】
ハウジング１０６は、第１の端部１１０、及びプラテン３０の文書見合せ位置１０２側面に向かって位置決め可能である第２の端部１１２を有する。図示するように、伸張ハウジング１０６は、帯電素子１０４から電荷を解放しかつ受光体１０の表面１２上に指向するために第１及び第２の端部１１０、１１２の間にそれぞれ伸張している電荷分散開口１１４を含む。電荷分散開口１１４は、帯電素子１０４に対する帯電開始位置１１６を含む。図示されているような電荷分散開口の帯電開始位置１１６は、例えば、開口上に部分的に、かつハウジング１０６の第２の端部１１２に向かって取り付けられた調整可能な電荷ブロッキング部材１１８によって画定される。
自動位置合わせ帯電デバイス・アセンブリ１００は、伸張ハウジング１０６の第１の端部１１０に接触する停止部材１２０も含んでいる。図示したような停止部材１２０は、プラテン３０の下方で装置フレーム８Ａに取り付けられ、かつプラテン３０の文書見合せ位置１０２の直下の所望の位置Ｐ１から所定の距離Ｗ３で離間されている。停止部材１２０から所望の位置Ｐ１までの所定の距離Ｗ３は、その第１の端部１１０から電荷分散開口１１４の帯電開始位置１１６までの伸張ハウジング１０６の長さＬ３に等しくすることが重要である。装置フレーム８Ａを介して取り付けられたような停止部材１２０は、例えば、ハウジング１０６に接触する第１の端部１２２と、装置フレーム８Ａの外側に位置決めされるその第２の端部１２４とを含む。更に示すように停止部材１２０は、そのねじ込み軸部分１２６のような手段、及び停止部材の停止位置を手動で調整するためのその第２の端部１２４に接続された親指把持可能部分１２８を含み、それによりそれから所望の位置Ｐ１までの所定の距離Ｗ３を増加したり減少したりする。その第１の端部１２２は、ハウジング１０６の第１の端部１１０に接触しかつ文書見合せ位置１０２からプラテン３０の遠い側面で帯電デバイス２６（即ち、帯電素子１０４を有するハウジング１０６）を停止するように調整されかつ設定されることが重要である。
【００１５】
自動位置合わせ帯電デバイス・アセンブリ１００は、複写機内に支持されかつ伸張ハウジング１０６の第２の端部１１２に接続された弾性力印加手段１３０を更に含む。弾性力印加手段１３０は、例えば、圧縮ばね部材として示されているが、しかしそれは、圧搾及び油圧式のそのようなデバイスを含んでいるあらゆる適切なばねデバイスに等しいものでありうる。そのような弾性力印加手段１３０は、伸張ハウジング１０６の第１の端部１１０が停止部材１３０に接触しているときに、文書見合せ位置１０２の直下の所望の位置Ｐ１で電荷分散開口１１４の帯電開始位置１１６を自動的に位置合わせするために有用である。換言すると、伸張ハウジング１０６の第２のかつ反対側の端部１１２に接続されたときに、弾性力印加手段１３０は、プラテン３０上の文書見合せ位置１０２に対して帯電素子の帯電開始位置１１６の場所に誤り訂正調整を自動的に吸収するのに適しており、それにより帯電開始位置１１６を文書見合せ位置１０２に自動的に位置合わせする。
弾性力印加手段１３０は、装置内でそれと交換可能であるように顧客交換可能ユニット（ＣＲＵ）１３４のハウジング１３２上に支持されるのが好ましい。図示したように、本発明の利点的な機能なしで、公差条件外の製造及びアセンブリにより、帯電開始位置１１６は、表面１２上の３つの異なる対応位置Ｐ１、Ｐ２及びＰ３のいずれかを有しうる。位置Ｐ１は、勿論、理想的でありかつそれが本発明により自動的に達成可能である。位置Ｐ２及びＰ３は、望ましくない。予測できるように位置Ｐ２は、クリップされたボーダー領域を有するコピーを生成し、位置Ｐ３は、黒ずんだかまたは色調されたボーダーを有するコピーを生成する。
【００１６】
しかしながら、更に示すように、弾性力印加手段１３０は、それがハウジング１０６に、所定の距離Ｗ３内のＰ２のような望ましくない位置に帯電開始位置１１６を意図的に配置することをもたらす、第１の、非圧縮位置を有するようにすることが重要である。弾性力印加手段１３０は、それがハウジング１０６に、位置Ｐ１に望ましく帯電開始位置１１６を自動的に配置することをもたらす、図示したような第２の、圧縮位置を有するようなものでもある。ばね１３０のこの第２の圧縮位置は、伸張ハウジングの第１の端部１１０を停止部材１２０と接触させて自動的に移動する弾性力印加手段１３０により画定されかつ決定される。その第１の端部１１０から帯電開始位置１１６までのハウジング１０６の長さＬ３は、長さＬ３によるばね１３０の圧縮が、文書見合せ位置１０２の直下の所望の位置Ｐ１で帯電素子の帯電開始位置１１６を自動的に位置合わせするようなものである。
自動位置合わせ帯電デバイス・アセンブリ１００の主な利点は、停止部材１２０の端部１２２の位置が、接触端部１１０を有するデバイス・アセンブリ１００を含むＣＲＵ１３４の特定のバッチに対して装置においてプリセットまたは調整されうるということである。一度停止部材１２０の端部１２２の位置が上記のように装置において調整されたならば、その中に先に位置合わせされたＣＲＵの交換として装置に続いて取り付けられる各ＣＲＵにおけるデバイス・アセンブリ１００は、本発明により、各そのようなデバイス・アセンブリにおけるいかなる公差外条件の存在にも関わらず、所望の位置Ｐ１に帯電開始位置１０２を自動的に設定または位置合わせする。
【００１７】
従って、プラテン３０上の文書見合せ位置１０２に位置合わせして光導電面１２上に静電電荷の層を生成する自動位置合わせ形帯電デバイス・アセンブリ１００が本発明に従って提供されるということは、明らかである。自動位置合わせ形帯電デバイス・アセンブリ１００は、帯電素子１０４、帯電素子を囲んでおりかつそれに対する帯電開始位置１１６を有している伸張ハウジング１０６を含む。自動位置合わせ形帯電デバイス・アセンブリは、プラテン上の文書見合せ位置に帯電素子の帯電開始位置を自動的に位置合わせするために所望の点で伸張ハウジングの第１の端部１１０を接触させるためにプラテンの第１の側面で装置のフレームに取り付けられた停止部材１２０も含む。弾性力印加手段１３０は、プラテン上の文書見合せ位置に対して帯電素子の帯電開始位置の場所に誤り訂正調整を自動的に吸収するために伸張ハウジングの第２のかつ反対側の端部１１２に接続され、それにより文書見合せ位置に帯電開始位置を自動的に位置合わせする。
本発明は、その特定な実施例に関して説明したが、多くの代替、変更、及び変形が当業者に自明であるということは、明らかである。従って、添付した特許請求の範囲の精神及び広い範疇内に入る全てのそのような代替、変更及び変形を含むことを企図している。
【００１８】
【発明の効果】
本発明の自動位置合わせ形帯電デバイス・アセンブリは、フレーム、電荷保持光導電面、及び黒ずんだボーダーまたはクリップされたエッジなしの文書のコピーを生成するのに有用な文書見合せ位置を含んでいる文書プラテンを有している静電電子写真式複写機において、（ａ）光導電面を帯電するコロナ発生器と、（ｂ）プラテンの下方で複写機内に取り付けられかつプラテンの文書見合せ位置の直下で所望の位置から所定の距離で離間されており、コロナ発生器を接触させる停止部材と、（ｃ）複写機内に支持されかつコロナ発生器に接続されており、文書見合せ位置に対して所望の位置でコロナ発生器を自動的に位置合わせする弾性力印加手段とを備えているので、静電電子写真式複写機に使用する、プラテン文書見合せ位置にその帯電開始位置を自動的に位置合わせする自動位置合わせ形帯電デバイスを提供することができる。
また、本発明の静電電子写真式複写機は、（ａ）装置フレームと、（ｂ）フレームに取り付けられており、クリップしたエッジなくかつ清浄な黒ずんでいないボーダーを有する複写されるべき文書を見合わせる文書見合せ位置を含んでいるプラテンと、（ｃ）文書の原稿画像を複写すべく静電電荷の層及び帯電したトナー粒子を採り入れており、静電電荷の層を保持するために利用可能な所定の幅を有している光導電面を含んでいる画像形成手段と、（ｄ）プラテン上の文書見合せ位置に位置合わせして光導電面上に静電電荷の層を生成する自動位置合わせ形帯電デバイス・アセンブリとを備えて、自動位置合わせ形帯電デバイス・アセンブリは、（ｉ）光導電面を帯電するコロナ発生器と、（ｉｉ）プラテンの下方で複写機内に取り付けられかつプラテンの文書見合せ位置の直下で所望の位置から所定の距離で離間されており、コロナ発生器を接触させる停止部材と、（ｉｉｉ）複写機内に支持されかつコロナ発生器に接続されており、文書見合せ位置に対して所望の位置でコロナ発生器を自動的に位置合わせする弾性力印加手段とを含んでいるので、静電電子写真式複写機に使用する、プラテン文書見合せ位置にその帯電開始位置を自動的に位置合わせする自動位置合わせ形帯電デバイスを備えた静電電子写真式複写機を提供することができる。
【００１９】
更に、本発明の印刷機用顧客交換可能ユニットは、黒ずんだボーダーまたはクリップされたエッジなしの文書のコピーを生成するような印刷機用顧客交換可能ユニット（ＣＲＵ）であって、（ａ）印刷機のフレームに取り付けられるハウジングと、（ｂ）印刷機の文書見合せ位置に対して所定の所望位置で位置決めするようにハウジングに取り付けられた第１の端部と印刷機内の停止部材を接触させる第２の端部とを有しているコロナ発生器と、（ｃ）ハウジングにコロナ発生器の第１の端部を接続しており、ＣＲＵが複写機に用いられるときに停止部材に接触してハウジングの第２の端部を弾性的に付勢する弾性力印加手段とを備えているので、静電電子写真式複写機に使用する、プラテン文書見合せ位置にその帯電開始位置を自動的に位置合わせする自動位置合わせ形帯電デバイスを含む顧客交換可能ユニットを提供することができる。
【図面の簡単な説明】
【図１】本発明のプラテン、受光部材及び自動位置合わせ形帯電デバイス・アセンブリの略側面図である。
【図２】本発明の自動位置合わせ形帯電デバイス・アセンブリを採り入れている静電電子写真式複写機を示す略図である。
【符号の説明】
８Ａ  装置フレーム
１２  光導電面
２６  コロナ発生器
３０  プラテン
Ｌ３  ハウジングの長さ
Ｐ１  所望の位置
Ｐ２、Ｐ３  位置
Ｗ１  帯電可能幅
Ｗ２  帯電長さ
Ｗ３  所定の距離
１００  自動位置合わせ形帯電デバイス・アセンブリ
１０２  文書見合せ部分
１０４  帯電素子
１０６  伸張ハウジング
１０８、１０９  端部ブロック
１１０  第１の端部
１１２  第２の端部
１１４  電荷分散開口
１１６  帯電開始位置
１１８  電荷ブロッキング部材
１２２  第１の端部
１２４  第２の端部
１２６  ねじ込み軸部分
１２８  親指把持可能部分
１３０  弾性力印加手段
１３２  ハウジング
【図１】
0003827760.tif 000002
【図２】
0003827760.tif 000003